(57)【要約】【課題】    球形タンクを支持する支柱下部の基礎の外周に、環状枠材と傾斜材と水平材を組合せた構造体を形成し、基礎近傍に荷重が集中することなく損傷を生じないように補強支持して、地震や強風などによる振動や揺れによる変位を抑えて、耐久性と耐震性をより向上させた球形タンクの脚部補強構造と補強方法を提供する。【解決手段】    基版の基礎から垂直に設置し球形タンクの外周下部を垂直に支承する支柱に対して、該支柱の基礎の近傍に隔離して設けた環状の支持枠と、該支持枠から上記支柱にわたって設けた傾斜材と、上記支持枠から上記基礎に渡した水平材と、上記傾斜材と上記支柱とを連結する水平梁材とで一体剛構造に形成する。【選択図】  図１
2006168799.tif 000002
【特許請求の範囲】
【請求項１】
基版の基礎から垂直に設置し球形タンクの外周下部を垂直に支承する支柱に対して、該支柱の基礎の近傍に隔離して設けた環状の支持枠と、該支持枠から上記支柱にわたって設けた傾斜材と、上記支持枠から上記基礎に渡した水平材と、上記傾斜材と上記支柱とを連結する水平梁材とで一体剛構造に形成したことを特徴とする球形タンク脚部の補強構造。    
【請求項２】
地震等で支柱の位置がずれた既設の球形タンクについて、支柱の基礎近傍の基版上に所定間隔をおいて支持枠を配置し環状の多角形に組み立て、続いて支持枠と各基礎の間に水平材を渡し固着して環状の支持枠と基礎とを一体構造とし、次いで位置がずれた支柱を、上記支持枠を利用しジャッキ等の治工具を用いて、基礎上の所定位置に移動修正し、続いて環状多角形の支持枠から支柱に傾斜材を掛け渡し固着し、さらに補強斜材と支柱の間に水平梁材を渡し固着して補強することを特徴とする球形タンク脚部の補強方法。
【発明の詳細な説明】
【技術分野】
【０００１】
この発明は、圧縮ガス、液化ガス等を貯蔵する球形タンクの脚部の補強構造と補強方法に関するものである。    
【背景技術】
【０００２】
球形タンクを支持する脚部の構造について、図５に基づいて説明する。  図５に示すように、球形タンク２１は、地面の基版２２上の隔離した複数の基礎２３から地上に高く垂直に設けた複数本の円筒状の支柱２５によって支持され、この独立した支柱２５の相互間には傾斜し交差させて設けた斜材のブレーシング２８が設けられている。この円筒状の支柱２５の上端部２６は、球形タンク２１の球殻外壁面２４の赤道部近傍の固着部２７の位置に、溶接によって一体に固着されている。      
【０００３】
球形タンクの耐震性を向上させた従来発明として、例えば、特開平９−１５６６８８号公報「球形タンクの支持構造」に開示されている。この発明は、球形タンク１を複数の支持脚２で支持し、この複数の支持脚２に接する環状の帯板１０を配置しかつ固定して耐震性を向上するようにしたものである。      
【０００４】
また、球形貯槽１の支承部の耐震性を向上させた発明としては、本出願人に係る特開２００１−１８０７９７号公報「貯槽の支持構造」の発明がある。この発明は、一体架構の剛構造の支持枠体４の上に、球形貯槽１の湾曲した底部外壁面３を固着することなく、摺動可能に接触させた状態で支承するようにした支持構造である。      
【０００５】
【特許文献１】特開平９−１５６６８８号
【特許文献２】特開２００１−１８０７９７号
【発明の開示】
【発明が解決しようとする課題】
【０００６】
図５のような球形タンク２１の支柱２５の上端部２６は、地面の基版２２上の基礎２３から高い位置の固着部２７で、球形タンク２１の赤道部近傍に至る湾曲した球殻外壁面２４に溶接で固着する構造である。そのため、垂直方向の自重は十分支持することができるが、地震などによる基版２２の振動は、各基礎２３に個別に伝わり、また強風や地震などによる球形タンク２１の揺れは、固着部２７から支柱２５上端部２６を介して基礎２３に個別に伝わるため、この振動と揺れの荷重集中によって、一部の支柱２５の基礎２３に変形や損傷を生じる場合があった。このように複数の隔離した基礎２３上に、長い円筒状の支柱２５が独立して設けられているために、地震や強風などによる大きな振動や揺れに対して、各支柱２５の応答挙動がバラバラとなり、荷重に偏りと集中が生じ易くなって、一部の支柱２５の基礎２３に大きな変形や損傷などの被害を受けることがあった。  この大きく変形し損傷した球形タンク２１の支柱２５及び基礎２３を、後から大幅に補強することは大変であり、部分的な補強によって十分な強度が得られるように修理することは困難であった。      
【０００７】
また、球形タンクの耐震性を向上させた特開平９−１５６６８８号公報に開示された従来発明の「球形タンクの支持構造」は、球形タンク１を複数の支持脚２で支持し、この複数の支持脚２に接する環状の帯板１０を配置しかつ固定したもので、球形タンク１の水平方向の揺れを減衰する制震性能には優れている。しかしながら、長周期の振動や大きな横揺れなどは各支柱２５の基礎２３へ伝わって変形や損傷を生じる心配があった。      
【０００８】
さらに、本出願人に係る発明、特開２００１−１８０７９７号公報「貯槽の支持構造」に開示された発明の支持構造は、一体架構の剛構造の支持枠体４の上に、球形貯槽１の湾曲した底部外壁面３を固着することなく摺動可能に接触させた状態で支承するようにした支持構造である。しかしながら、このような支承する支持構造は、隔離し独立した支柱を補強する構造とは本質的に異なるもので、球殻より外側下部に相当する位置から斜めに各支柱を補強する構造ではなく、独立した支柱よりなる脚部の補強構造としては充分ではなかった。      
【０００９】
この発明の目的は、上述のような従来技術が有する問題点に鑑みてなされたもので、球形タンクを支持する支柱下部の基礎の外周に、環状枠材と傾斜材と水平材を組合せた構造体を形成し、基礎近傍に荷重が集中することなく損傷を生じないように補強支持して、地震や強風などによる振動や揺れによる変位を抑えて、耐久性と耐震性をより向上させた球形タンクの脚部補強構造と補強方法を提供するものである。    
【課題を解決するための手段】
【００１０】
請求項１の発明に係る球形タンク脚部の補強構造は、基版の基礎から垂直に設置し球形タンクの外周下部を垂直に支承する支柱に対して、該支柱の基礎の近傍に隔離して設けた環状の支持枠と、該支持枠から上記支柱にわたって設けた傾斜材と、上記支持枠から上記基礎に渡した水平材と、上記傾斜材と上記支柱とを連結する水平梁材とで一体剛構造に形成したものである。      
【００１１】
請求項２の発明に係る球形タンク脚部の補強方法は、地震等で支柱の位置がずれた既設の球形タンクについて、支柱の基礎近傍の基版上に所定間隔をおいて支持枠を配置し環状の多角形に組み立て、続いて支持枠と各基礎の間に水平材を渡し固着して環状の支持枠と基礎とを一体構造とし、次いで位置がずれた支柱を、上記支持枠を利用しジャッキ等の治工具を用いて、基礎上の所定位置に移動修正し、続いて環状多角形の支持枠から支柱に傾斜材を掛け渡し固着し、さらに補強斜材と支柱の間に水平梁材を渡し固着するもので、順次上記と同様に、対向或いは隣接する支柱について基礎上の所定位置に移動修正し、さらに同様に傾斜材と水平梁材をそれぞれ掛け渡して固着し、全体を一体剛構造に組み立て、さらに基礎が損傷している場合には基礎に新しいグラウト材などを施工して補修及び補強を行うものである。    
【発明の効果】
【００１２】
請求項１の発明に係る球形タンク脚部の補強構造は、基版の基礎から垂直に設置し球形タンクの外周下部を垂直に支承する支柱に対して、該支柱の基礎の近傍に隔離して設けた環状の支持枠と、該支持枠から上記支柱にわたって設けた傾斜材と、上記支持枠から上記基礎に渡した水平材と、上記傾斜材と上記支柱とを連結する水平梁材とで一体剛構造に形成したしたので、地震や強風などによる振動や揺れに対して、一体の補強構造体が支えるため、支柱下部の基礎に荷重が集中することなく、かつ補強構造体により変位や振動などを吸収緩和するので、局部的に基礎が損傷し破損する心配がなく、垂直荷重及び水平荷重に対して、耐久性及び耐震性に優れた脚部の補強構造となる。      
【００１３】
請求項２の発明に係る球形タンク脚部の補強方法は、地震等で支柱の位置がずれた既設の球形タンクについて、支柱の基礎近傍の基版上に所定間隔をおいて支持枠を配置し環状の多角形に組み立て、続いて支持枠と各基礎の間に水平材を渡し固着して環状の支持枠と基礎とを一体構造とし、次いで位置がずれた支柱を、上記支持枠を利用しジャッキ等の治工具を用いて、基礎上の所定位置に移動修正し、続いて環状多角形の支持枠から支柱に傾斜材を掛け渡し固着し、さらに補強斜材と支柱の間に水平梁材を渡し固着して補強するので、位置ずれした支柱の修正には、従来、大掛かりな仮設機材を要していたが、上記のように補強部材である支持枠と水平材を一体とし、この水平材は各基礎と固持しているので、環状の支持枠は剛性を持ち、位置ずれした支柱に対し支持枠を介してジャッキ等の治具で大きな力を与えて移動することができるため、作業が簡単容易、短時間に、簡単な機材で支柱の修正を行うことが出来る。また、補強材の設置の際に、基版上での位置決めと基礎及び支柱への取付け作業が容易で、組立てや溶接作業などに手間を要することなく、短時間で作業能率良く脚部の補強と基礎の補修を行うことができる。    
【発明を実施するための最良の形態】
【００１４】
この発明に係る球形タンク脚部の補強構造を、図１乃至図４に基づいて説明する。  図１は、球形タンクの脚部の補強構造の実施形態例で、全体の斜視説明図を示す。図２は、図１の支柱部分を拡大して示す側面図である。      
【００１５】
球形タンク１は、地面の基版２上に隔離して設けた複数の基礎３から地上に垂直に設置した複数本の支柱５によって球殻４の外周を支えられている。図１に示す事例は、６本の支柱５の場合であるが、球形タンク１の規模に応じて８本、１０本などの複数本の場合についても同様に、以下詳述する補強構造を適用することができる。  球形タンク１の脚部の補強構造について、図１に基づいて説明する。支柱５の基礎３から外周に隔離して、水平に環状の支持枠６を基版２上に設ける。この支持枠６は、図１に示すように支柱５の本数６に応じた平面正六角形の平面多角形状で、一体剛構造の環状体に形成する。この支持枠６の正六角形の頂点に相当する位置の上端面から支柱５にわたって傾斜させて支える傾斜材７を設け、また支持枠６から基版２上に沿って基礎３の端縁に渡した水平材８を設け、さらに上方位置に平行させて傾斜材７と支柱５とを連結する水平梁材９を設けて、これらの補強材全体を一体構造に形成する。なお、上記した図１の事例は、支柱の本数に応じた平面多角形状の環状体に形成する場合を示したが、支柱の本数と異なる多角形、或いは円形の環状体であっても良い。また、図１の事例は、支柱の外周に隔離して環状の支持枠を設けた場合を示したが、球形タンクの規模や周囲の状況に応じて、支柱の基礎の内周に隔離して環状の支持枠を設けて支持するようにしても良く、或いは支柱の基礎間に支持枠を設けて一体環状に接続して補強するようにしても良い。      
【００１６】
図２に基づいて、図１に示す脚部の補強構造についてさらに詳述する。支持枠６は、図２に断面を示すような断面Ｈ型鋼材などを用いて、基版２上の基礎３から外方に隔離して平面多角形状で一体剛構造の環状体に配置する。この支持枠６の多角形の頂点近傍の上端面から、対向する支柱５の上部にわたって傾斜させて支える傾斜材７を設ける。また、上記支持枠６から対向する基礎３の端縁に水平に渡した水平材８を設け、さらに傾斜材７と支柱５とを水平に連結する水平梁材９を設ける。      
【００１７】
上記した支持枠６、傾斜材７、及び水平材８などの補強部材は、例えば型鋼材、矩形鋼材、パイプ材等を適宜用いることができ、これらの部材を組立て連結して一体架構の剛構造に形成する。このように、一体架構の剛構造に形成した補強構造体は、作業性良く組立て施工することができる。      
【００１８】
図３は、図２のＸ部で、支柱５と傾斜材７との固着部を示す。傾斜材７の端縁には係合材１０を設けて、断面円形の支柱５と密着させて接合するように形成した場合を示す。この係合材１０は、支柱５の円柱の表面に密着するように、湾曲面に切り欠いた平面板部材、１０Ａ，１０Ｂとする。  このように、補強斜材７の端縁の接合部材として、係合材１０，１０Ａ，１０Ｂを用いた場合には、支柱５に対して傾斜材７の傾斜角度と位置決めがし易くなる。なお、傾斜材７を直接、支柱５に固着する場合には、傾斜材７の端縁が密着するように略楕円形に加工して、溶接にて頑強に固着するように配慮する。      
【００１９】
図４は、図２のＹ部で、基礎３近傍の補強状況を示す。  １３は支柱５の下端面を固着する鋼板などのアンカープレート、１４はアンカープレート１３を基礎３に固定するためのアンカーボルトである。基礎３の補強部材として、１１は基礎３の端縁に設ける平板鋼材などの押え部材で、補強水平材８の端縁を固着するための部材である。１２は基礎２の割れや損傷部を被覆して補修するノンシュリンクモルタルなどのグラウト材である。１５はアンカープレート１３の下端縁の隙間を埋める充填材である。  風雨や温度変化、地震などで基礎３部材が劣化し損傷などしないように、上記補強部材を使用して保護し支柱５及び基礎３の耐久性向上を図ることができる。      
【００２０】
上述のように、支柱５の基礎３から外周に隔離して設けた環状の支持枠６を設け、この支持枠６の上端面から上記支柱５にわたって傾斜させて支える傾斜材７を設け、支持枠６から上記基礎３に渡した水平
材８と、傾斜材７と支柱５とを連結する水平梁材９を設けて一体架構の剛構造に形成することにより、地震や強風などによる振動や揺れに対して、特定の支柱５及び基礎３に荷重が集中することなく、かつ局部的に損傷や破損を生じる心配がなく、垂直荷重及び水平荷重に対して、耐久性に優れた補強構造となる。よって、長周期の振動、大きな揺れなどの動きを生じる地震や強風などに対して一層強い構造となり、球形タンクの脚部の耐久性と安全性をより向上させることができる。      
【００２１】
また、この発明に係る球形タンク脚部の補強方法について説明する。  既設の球形タンク１の脚部を補強する場合には、先ず、支柱５の基礎３の外周地面の基版２の上に所定間隔をおいて支持枠６を配置し、溶接やボルト・ナット止め等にて環状の多角形に組み立てる。次いで、環状多角形の支持枠６の頂点近傍の上端面から支柱５の上部にわたって傾斜材７を掛け渡して取付け、支持枠６と基礎３の間に水平材８を渡し、傾斜材７と支柱５の間に水平梁材９を渡して溶接にて一体剛構造に組み立てる。      
【００２２】
地震等で支柱５の位置がずれて基礎３が損傷した既設の球形タンクについて、支柱５を所定の位置へ移動し基礎３を補修して脚部を補強する手順の事例を、以下に詳述する。（１）支柱５の基礎３の外周地面の基版２の上に所定間隔をおいて支持枠６を配置し、溶接等にて環状の多角形に組み立てる。（２）支持枠６と各基礎３の間に水平材８を渡して両端を固着保持し、上記環状の支持枠６に剛性をもたせた一体構造とする。（３）地震などによって位置がずれた支柱５を、上記支持枠６を支えに使用し、ジャッキやチェーンブロック等の治工具で押圧し、或いは引張って、支柱５の下端を基礎３上の所定位置に移動し修正する。（４）環状多角形の支持枠６の頂点近傍の上端面から、支柱５の上部にわたって傾斜材７を斜めに掛け渡して、その両端を溶接により固着する。（５）傾斜材７と支柱５の間に、水平梁材９を水平に渡してその両端を溶接にて固着する。（６）対向、或いは隣接する支柱５について、順次、（3）と同様に基礎３上の所定位置に移動修正し、（4）と同様に傾斜材７を掛け渡して両端を固着し、（5）と同様に水平梁材９を渡し両端を固着して全体を一体剛構造に組み立てる。（７）損傷した基礎３に、新しいアンカーボルト、グラウト材やモルタルなどを施工して補修する。      
【００２３】
上述のように、既設の球形タンクの脚部を補強する方法は、従来のように既設の各支柱５と基礎３を個別に補修するのではなく、また大掛かりな仮設機材を要することなく、上記のように補強部材である支持枠６と水平材８を一体とし、この水平材８は各基礎３と固持しているので、環状の支持枠６は剛性を持ち、位置ずれした支柱５に対して、安定した支持枠６を支えにして、ジャッキやチェーンブロック、ワイヤロープ等の治工具を用いて、大きな力を与えて押圧し、或いは引張ることができるため、作業が簡単容易、かつ短時間に、簡単な機材で支柱の修正を行うことが可能となる。また、上記手順で作業性良く既設の支柱５及び基礎３を修正して補強するので、繁雑で手間を要する作業がなく、また、補強材の配置と組立ての際に、位置決め及び設置作業が容易で、溶接作業などに手間を要することなく、短時間で作業能率良く一体剛構造に補強することができる。      
【００２４】
さらに、図示はしないが、基礎３にかかる垂直方向及び水平方向の振動、変位、荷重などを吸収緩和するように、各部材の接続部に緩衝部材を設けるようにしてもよい。
【産業上の利用可能性】
【００２５】
球形タンクにおける新設の脚部の補強構造、或いは既設の脚部の補強構造、並びに既設の脚部が損傷した場合の補修及び補強に適用することができる。 
【図面の簡単な説明】
【００２６】
【図１】この発明に係る球形タンクの脚部の補強構造の実施形態例を示す斜視説明図である。
【図２】図１の脚部の補強構造における一つの支柱近傍を拡大して示す側断面説明図である。
【図３】図２のＸ部、支柱と傾斜材の取付け部を拡大して示す斜視説明図である。
【図４】図２のＹ部、支柱の基礎の部分を拡大して示す斜視説明図である。
【図５】従来の球形タンクの支持構造を示す側面説明図である。
【符号の説明】
【００２７】
１  球形タンク  ２  基版  ３  基礎  ４  球殻  ５  支柱  ６  支持枠  ７  傾斜材  ８  水平材９  水平梁材１０，１０Ａ，１０Ｂ  係合材  １１  押え部材１２  グラウト材１３  アンカープレート１４  アンカーボルト１５  充填材 ２１  球形タンク２２  基版２３  基礎２４  外壁面２５  支柱２６  上端部２７  固着部２８  ブレーシング
【図１】
2006168799.tif 000003
【図２】
2006168799.tif 000004
【図３】
2006168799.tif 000005
【図４】
2006168799.tif 000006
【図５】
2006168799.tif 000007